【事件の表示】
　特許第３３４７３７１号「画像処理方法」の請求項１、２に係る特許に対する特許異議の申立てについて、次のとおり決定する。
【結　論】
　訂正を認める。
　特許第３３４７３７１号の請求項１、２に係る特許を維持する。
【理　由】
１．手続の経緯
　特許第３３４７３７１号の請求項１、２に係る発明は、平成４年９月１８日に特許出願され、平成１４年９月６日にその発明について特許の設定登録がなされ、その後、鶴田司郎より特許異議の申立てがなされ、平成１６年５月１０日に取消理由通知がなされ、その指定期間内である平成１６年７月２０日に訂正請求がされたものである。
　　　
２．訂正の適否についての判断
２−１．訂正の内容
(ａ)訂正事項ａ
　特許請求の範囲の請求項１の
「画像信号出力側装置から画像信号入力側装置へカラー画像信号を転送して画像の複製を行う画像処理方法であって、
　前記画像信号出力側装置では、
　色分解されたカラー画像信号を前記前記画像信号入力側装置へ出力する第１の出力工程と、
　前記カラー画像信号が表わす画像と特定画像との類似度を判定し、前記カラー画像信号の出力開始後に、判定結果を示す判定信号を前記画像信号入力側装置へ出力する第２の出力工程とを有し、
　前記画像信号入力側装置では、
　前記画像信号出力側装置からの前記カラー画像信号を入力する第１の入力工程と、
　前記カラー画像信号の入力に引き続き、前記画像信号出力側装置からの前記判定信号を入力する第２の入力工程と、
　前記判定信号が特定画像ありを示す場合、前記入力したカラー画像信号を無効にする無効化工程とを有することを特徴とする画像処理方法。」
を、
　「画像信号出力側装置から
外部の
　前記画像信号出力側装置では、
　色分解されたカラー画像信号を前記
外部の
　前記カラー画像信号が表わす画像と特定画像との類似度を判定し、前記カラー画像信号の出力開始後に、判定結果を示す判定信号を前記
外部の
　前記画像信号入力側装置では、
　前記画像信号出力側装置からの前記カラー画像信号を入力する第１の入力工程と、
　前記カラー画像信号の入力に引き続き、前記画像信号出力側装置からの前記判定信号を入力する第２の入力工程と、
　前記判定信号が特定画像ありを示す場合、前記入力したカラー画像信号を無効にする無効化工程とを有することを特徴とする画像処理方法。」
と訂正する。
(ｂ)訂正事項ｂ
　明細書の段落[０００４]の
「上述した課題を解決し、目的を達成するため、本発明の画像処理方法は、画像信号出力側装置から画像信号入力側装置へカラー画像信号を転送して画像の複製を行う画像処理方法であって、前記画像信号出力側装置では、色分解されたカラー画像信号を前記前記画像信号入力側装置へ出力する第１の出力工程と、前記カラー画像信号が表わす画像と特定画像との類似度を判定し、前記カラー画像信号の出力開始後に、判定結果を示す判定信号を前記画像信号入力側装置へ出力する第２の出力工程とを有し、前記画像信号入力側装置では、前記画像信号出力側装置からの前記カラー画像信号を入力する第１の入力工程と、前記カラー画像信号の入力に引き続き、前記画像信号出力側装置からの前記判定信号を入力する第２の入力工程と、前記判定信号が特定画像ありを示す場合、前記入力したカラー画像信号を無効にする無効化工程とを有することを特徴とする。」
を、
「上述した課題を解決し、目的を達成するため、本発明の画像処理方法は、画像信号出力側装置から
外部の
外部の
外部の
と訂正する。
　
２−２．訂正の目的の適否、新規事項の有無及び拡張・変更の存否
　前記訂正事項ａは、特許請求の範囲の請求項１において、「画像信号入力装置」から「
外部の
　また、その他の訂正事項ｂは、訂正後の請求項１の記載と、発明の詳細な説明の記載との整合を図るための訂正であるから、明りょうでない記載の釈明である。
　
２−３．むすび
　以上のとおりであるから、上記平成１６年７月２０日付けの訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　　
３．特許異議の申立てについての判断
３−１．本件発明
　上記２．で示したように上記訂正が認められるから、本件の請求項１、２に係る発明は、上記訂正に係る訂正明細書の特許請求の範囲の請求項１に記載された事項に特定される次のとおりのものである。
「【請求項１】　画像信号出力側装置から
外部の
　前記画像信号出力側装置では、
　色分解されたカラー画像信号を前記
外部の
　前記カラー画像信号が表わす画像と特定画像との類似度を判定し、前記カラー画像信号の出力開始後に、判定結果を示す判定信号を前記
外部の
　前記画像信号入力側装置では、
　前記画像信号出力側装置からの前記カラー画像信号を入力する第１の入力工程と、
　前記カラー画像信号の入力に引き続き、前記画像信号出力側装置からの前記判定信号を入力する第２の入力工程と、
　前記判定信号が特定画像ありを示す場合、前記入力したカラー画像信号を無効にする無効化工程とを有することを特徴とする画像処理方法。
　【請求項２】　前記画像信号出力側装置はイメージスキャナもしくはスチルカメラであることを特徴とする請求項１記載の画像処理方法。」
　　
３−２．申立て理由の概要
　申立人鶴田司郎は、証拠として甲第１号証（特開平２−８３５７１号公報）、甲第２号証（特開平４−７０２６４号公報）、甲第３号証（特開平４−２０７４６４号公報）、甲第４号証（特開平４−４６３６２号公報）を提出し、請求項１、２に係る発明は、特許法第２９条第２項の規定に違反してなされたものであるから、特許を取り消すべき旨主張している。
　
３−３．引用刊行物に記載された発明
　当審が平成１６年５月１０日付けで通知した取消理由で引用した刊行物は、刊行物１（特開平２−８３５７１号公報）（甲第１号証）、刊行物２（特開平４−７０２６４号公報）（甲第２号証）、刊行物３（特開平４−２０７４６４号公報）（甲第３号証）、刊行物４（特開平４−４６３６２号公報）（甲第４号証）であり、特許法第２９条第２項の規定により特許を受けることができないとしたものである。
　
刊行物１（特開平２−８３５７１号公報）
（１）「第１図は本発明実施例の基本構成を示し、特に信号の流れを主に示す。本図に於いて、１０１は固体撮像素子によりカラー原稿の画像をＲ（レッド）、Ｇ（グリーン）、Ｂ（ブルー）の３色分解で読み取り、デジタルカラー画像信号を出力する画像読取手段である。１０２は画像読取手段１０１から送られるデジタルカラー画像信号から記録色のＹ（イエロー）、Ｍ（マゼンタ）、Ｃ（シアン）、ＢＫ（ブラック）の画像データを生成する画像処理手段である。１０３は画像処理手段１０２から供給されるＹ，Ｍ，Ｃ，ＢＫのカラー画像データを基に記録用紙上にカラー画像を再生記録する画像形成手段であり、カラーレーザービームプリンタやカラーインクジェットプリンタあるいはカラー熱転写プリンタ等が用いられる。
　また、１１２は画像読取手段１０１からのデジタルカラー画像信号の特徴抽出による出力パターンを基に、パターンマッチング方式を用いて原稿が紙幣等の複写禁止物であることを判定する判定手段、１１３は画像の読取記録（複写）の各種指示を行なうための操作手段である。判定手段１１２は原稿が複写禁止物であると判定したときには、信号を送って操作手段１１３を操作禁止状態にし、同時に画像形成手段１０３の画像形成を無効にする。または画像形成を中止する処理を行う。」（刊行物１の２頁下右欄９行〜３頁上左欄１３行）
（２）「第３図は第１図の判定手段１１２の具体的な回路構成例を示す。」
（刊行物１の４頁上右欄３〜４行）
（３）「パターンマッチング回路４０９において、ＲＡＭ４０８に書き込まれたデータは、ＲＯＭ（リードオンリメモリ）４１０にあらかじめ書き込まれている基準となるパターンの比較情報（以下、テンプレート情報と称する）と比較され、一致するか否かの判定がなされる。もし、一致する場合にはパターンマッチング回路４０９から画像形成手段１０３へ、およびＣＰＵ４１１を介して操作手段１１３へその一致する旨を知らせ、正常な画像形成をただちに中止させる」（刊行物１の４頁下左欄４〜１２行）
（４）「本発明によれば、画像読取手段で読取中の原稿が判定手段により特定の複製禁止原稿であると判定したならば、制御手段により画像形成手段の記録動作を中止または無効にし、」（刊行物１の６頁上左欄５〜９行）
　
刊行物２（特開平４−７０２６４号公報）
（１）「本発明では、画像を読取りながら直接被記録媒体に画像を記録する画像形成装置において、記憶手段にあらかじめ登録されている基準データとしての複製禁止対象の紙葉等の特定パターンデータと、通常の画像形成時において読取り原稿画像データをパターンデータに変換するデータ変換手段から得られる読み取り原稿のパターンデータとを比較手段で比較し、原稿中に基準データと同様のパターンデータが存在すると判定したときには、制御手段により、画像形成処理の中止を行なうと同時に画像形成用の（マルチ）ヘツドを自損（動作不能）に至らしめるようにしたので、複製禁止対象の紙幣、有価証券等を使用者が故意に大量に偽造しようとした場合には、複製禁止として登録されているパターンを原稿中に発見する度毎に画像形成用の（マルチ）ヘッドがそれ以後記録不能となり、新たに高価な（マルチ）ヘッドを交換しなければ以後の画像形成ができないので、生産性が著しく低下し、その結果として、紙幣等の大量偽造を確実に防止することができる。」（刊行物２の２頁下左欄１０行〜同頁下右欄１０行）
（２）「第１図は本発明の実施例の基本構成を示す。
　本図において、Ａは原稿画像をデイジタル画像信号として読取る画像読取手段である。Ｂは画像読取手段Ａにより読取られた画像信号（原稿画像データ）をパターンデータに変換するデータ変換手段である。Ｃは、製品の工場出荷時等に紙幣、証券類等の特定の画像パターンをあらかじめ消却不可能なメモリに書き込み、基準データとしてあらかじめ登録しておく記憶手段である。Ｄは通常の画像形成時においてデータ変換手段Ｂから得られるパターンデータと記憶手段Ｃに記憶されている基準データとを比較する比較手段である。Ｅは比較手段りの相関があるとの比較結果に応じて画像形成処理の中止を行うと同時に、画像形成用マルチヘッド（以下記録ヘッド）Ｈを自損（動作不能）させる、すなわち動作不能の破損状態に至らしめる通電制御を行う制御手段である。
　Ｆは画像読取手段Ａにより読取られた画像信号をディジタル処理し、より原稿に忠実な色みを再現するための画像処理部である。
　Ｇは記録ヘッドＨを画像処理部Ｆからの信号に応じて駆動し、被記録媒体に記録するヘッドドライバである。」（刊行物２の２頁下右欄１４行〜３頁上左欄１７行）
（３）「第２図は本発明の第１の実施例のデジタルカラー複写装置の内部構成を示す。
　この装置は大きく分けて２つの部分から成る。１つはカラー原稿画像を読み取るカラーイメージスキャナ部１（以下、スキャナ部という）であり、もう１つは上記スキャナ部１からのデジタルカラー画像データに基づき画像を記録するプリンタ部３（例えば、特開昭５４−５９９３６号に記載のインクジエツトプリンタ）である。スキャナ部１とプリンタ部３は分離可能であり、接続ケーブルを延長することで離れた場所にも設置可能である。」（刊行物２の３頁上左欄１９行〜同頁上右欄９行）
（４）「コントローラ部２は上記スキャナ部１で読み取つたデジタルカラー画像データに対して各種画像処理を行うと共にプリンタ部３とのインタフェース等の処理機能を有する。」（刊行物２の３頁上右欄１５〜１９行）
（５）「第６図は第２図の本発明の第１の実施例のデジタルカラー複写装置の機能ブロツクを示す。
　本図において、制御部１０２、１１１、１２１は夫々スキャナ部１、コントローラ部２、プリンタ部３の制御を行う制御回路であり、マイクロコンピユータ、プログラムＲＯＭ　、データメモリ、通信回路等により構成される。制御部１０２と１１１の間、および制御部１１１と１２１の間はそれぞれ通信回線により接続されており、制御部１１１の指示により制御部１０２．１２１が動作を行うところの、所謂、マスタースレーブの制御形態を採用している。」（刊行物２の５頁下左欄１２行〜同頁下右欄２行）
（６）「第７図は第６図の制御部１１１の回路構成例を示す。」（刊行物２の６頁下左欄３〜４行）
（７）「２０６は、ＲＡＭ２０５からのデータと基本パターンＲＯＭ２０７の基準データとを比較して、両データの相関性を判断する比較回路である。比較回路２０６から出力した相関有りの制御信号は、信号線２１２を通じてＣＰＵ２０１に入力され、さらに内部バス２１３及びインターフエース２１１を介してプリンタ制御部１２１に転送される。」（刊行物２の６頁下右欄１４〜２０行）
（８）「以上の構成において、操作部１０の不図示のコピースタートキーが使用者により押されると、コントローラ部２の制御部１１１はスキャナ部ｌ及びプリンタ部３を各々の制御部１０２、１２１を介して制御して所定のコピーシーケンス動作を開始する。そして、制御部１１１内のパターン化処理回路２０４は、画像処理部１０７から送出されてきた画像データを２値化処理してパターン化し、ＲＡＭ２０５に順次記憶させる。ここで、比較回路２０６はＲＡＭ２０５に１ライン分のデータが書き込まれる度毎に、その書き込まれたデータと基本パターンＲＯＭ２０７にあらかじめ記憶されている前述の基準パターンデータとをその相関の比較をする。
　・・・（中略）・・・
の場合、パターン化原稿データには基準パターンと同様のパターンがあると比較回路２０６は判定し、複写禁止とする制御信号（複写禁止制御信号）を信号線２１２を通じてＣＰＵ２０１に送信し、この制御信号はさらにＣＰＵ２０１からプリンタ制御部１２１に転送される。
　複写禁止制御信号を受け取ったプリンタ制御部１２１は、複写動作を中止すると同時に、ゲート信号ＶＤＧ、ＥＢＧをＨレベルにして、記録ヘッド１１７〜１２０のノズルヒータ３０８を長時間通電させて自損させ、当該記録ヘッドではこれ以上記録できないようにする。」（刊行物２の７頁下右欄１行〜８頁上左欄１９行）
（９）「本説明によれば、複製禁止としてあらかじめ登録されているパターンを原稿画像の中から検出する毎度に画像形成を中止する」（刊行物２の８頁下右欄１１〜１４行）
　
刊行物３（特開平４−２０７４６４号公報）
（１）「前記処理手段は、前記照合手段により照合一致を得ると、前記入力手段で入力した画像信号を無効出力し」（刊行物３の１頁下右欄３〜５行）
（２）「特定原稿が存在する場合には、そのアドレスデータが墨入れ回路１１０へと送られ、このアドレスデータに基づき、黒のヘッダ画像が出力される。」（刊行物３の４頁上右欄１８行〜同頁下左欄１行）　
　
刊行物４（特開平４−４６３６２号公報）
　「本装置において、読み取り画像が紙幣と判別された場合、以下のように対処する。
　（ａ）画像形成を停止（２１）
　（ｂ）画像形成を禁止（８）
　（ｃ）画像情報を囲う（１２、１３、１４）
　（ｄ）コピー不良とする（１７、１８）」（刊行物４の８頁上右欄１８行〜同頁左下欄３行）
　
３−４．対比・判断
　本件請求項１に係る発明と刊行物１乃至４とを対比すると、本件請求項１に係る発明は、画像信号出力装置と画像信号入力装置とは別体となっており、画像信号出力装置では、特定画像との類似との判定に関係なく、カラー画像信号を外部の画像信号入力装置に出力し、そして、判定結果を示す判定信号を、カラー画像信号の出力開始後に出力し、画像信号入力装置では、その判定信号が特定画像ありを示す場合に、それまでに入力したカラー画像信号を無効とするものであるが、刊行物１〜４には、そのようなことは記載されておらず、また、それを示唆する記載もない。
　特に、刊行物２では、コントローラ部を有するスキャナ部と、プリンタ部とは別々に設けられており、さらに、画像データと、判定結果は、コントローラ部からプリンタ部へ別々に送られていることが記載されているが、しかし、画像データと判定結果とをいつ送信するかは明記されておらず、一方、本件請求項１に係る発明では、画像データの出力と判定結果の出力との関係が特定されており、その結果として下記のような効果を奏することが記載されている。したがって、刊行物２より本件請求項１に係る発明は容易に考えられるものとは認められない。
　本件請求項１に係る発明では、画像信号出力側装置がカラー画像信号の出力開始後に、判定結果を示す判定信号を出力し、画像信号入力側装置が、カラー画像信号の入力に引き続き、判定信号を入力し、判定信号が特定画像ありを示す場合、入力したカラー画像信号を無効にすることにより、発明の効果として、本件の明細書の段落【００３９】に記載されいるように、「画像信号出力側装置が特定画像との類似度の判定終了を待たずにカラー画像信号を出力する構成であっても、画像信号入力側装置はカラー画像信号の入力後の判定信号の入力を待って処理を続行するか否かを決定できるので、既に入力したカラー画像信号を無効化することにより、特定原稿の複製を未然に防止することができる。」との効果が認められる。さらに、意見書に記載されるように、「判定信号を出力するより先に、画像信号を出力することで画像信号出力側から画像信号入力側へかかる転送スピードを短縮でき、特に容量の大きい画像で通信に非常に時間がかかる場合においては判定信号を出力するより先に、予め画像信号を出力しておくことで転送の短縮化がはかれます。また、判定信号よりも先に画像信号を画像信号入力側装置に入力しておくとで、画像信号入力側装置においていつでも画像形成を始めることができる準備を整えることができる」という効果を期待することができるものと認められる。
　してみると、本件請求項１に係る発明は、刊行物１乃至４に記載された発明に基づいて当業者が容易に発明できたものでもない。
　さらに、本件請求項２に係る発明は、請求項１を引用して、限定したものであるから、請求項１に係る発明と同様にして、刊行物１乃至４に記載された発明に基づいて当業者が容易に発明できたものでもない。
　
（５）むすび
 以上のとおりであるから、特許異議の申立ての理由によっては本件請求項１、２に係る特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年８月４日（２００４．８．４）
【訂正の要旨】
審決（決定）の【理由】欄参照。
（５４）【発明の名称】
画像処理方法
（５７）【特許請求の範囲】
　【請求項１】　画像信号出力側装置から
外部の
　前記画像信号出力側装置では、
　色分解されたカラー画像信号を前記
外部の
　前記カラー画像信号が表わす画像と特定画像との類似度を判定し、前記カラー画像信号の出力開始後に、判定結果を示す判定信号を前記
外部の
　前記画像信号入力側装置では、
　前記画像信号出力側装置からの前記カラー画像信号を入力する第１の入力工程と、
　前記カラー画像信号の入力に引き続き、前記画像信号出力側装置からの前記判定信号を入力する第２の入力工程と、
　前記判定信号が特定画像ありを示す場合、前記入力したカラー画像信号を無効にする無効化工程とを有することを特徴とする画像処理方法。
　【請求項２】　前記画像信号出力側装置はイメージスキャナもしくはスチルカメラであることを特徴とする請求項１項記載の画像処理方法。
【発明の詳細な説明】
　【０００１】
　【産業上の利用分野】本発明は画像処理
方法
方法
　【０００２】
　【従来の技術】
　従来、画像処理装置の高画質化、カラー化、普及化にともない、本来処理されるべきでない特定原稿（例えば証券／紙幣／機密書類）を、原稿とほとんど見分けのつかないような高画質で複製し、悪用されてしまう恐れが生じている。そのため、読み取った画像信号をリアルタイムで出力するフルカラー複写機等の機器では、複数回の原稿走査ごとに読み取った画像データを特定原稿の画像データと比較し、次の原稿走査時の潜像形成中に特定のパターンを付加することが試みられている。
　【０００３】
　【発明が解決しようとする課題】
　しかしながら、上述した潜像形成を持たない画像入力装置では、上述したような複写防止処理ができない。本発明は上記点を鑑みてなされたものである。
　【０００４】
　【課題を解決するための手段】
　上述した課題を解決し、目的を達成するため、本発明に係る画像処理方法は、
　画像信号出力側装置から
外部の
　前記画像信号出力側装置では、色分解されたカラー画像信号を前記外部の前記画像信号入力側装置へ出力する第１の出力工程と、前記カラー画像信号が表わす画像と特定画像との類似度を判定し、前記カラー画像信号の出力開始後に、判定結果を示す判定信号を前記
外部の
　前記画像信号入力側装置では、前記画像信号出力側装置からの前記カラー画像信号を入力する第１の入力工程と、前記カラー画像信号の入力に引き続き、前記画像信号出力側装置からの前記判定信号を入力する第２の入力工程と、前記判定信号が特定画像ありを示す場合、前記入力したカラー画像信号を無効にする無効化工程とを有することを特徴とする。
　【０００５】
　【０００６】
　【実施例】
　以下に、添付図面を参照して、本発明の好適な実施例を詳細に説明する。以下の実施例では、本発明の適用例として、複写機の例が示されるが、本発明はこれに限るものではなく、他の種々の装置に適用できることは勿論である。また本発明を適用できる各装置出は、偽造防止として、紙幣、有価証券等の特定原稿を対称とする。
　【０００７】
　（第１の実施例）
　図２は本発明の第１の実施例によるイメージスキヤナ本体の概略的な内部構成を示す側断面図である。図２において、２０１はイメージスキャナ部であり、４００ｄｐｉの解像度で原稿を読み取り、ディジタル信号処理を行う部分である。イメージスキャナ部２０１において、２００は鏡面圧板であり、原稿台ガラス（以下「プラテン」という）２０３上の原稿２０４は、ランプ２０５で照射され、ミラー２０６，２０７，２０８に導かれ、レンズ２０９によって、３ラインセンサ（以下「ＣＣＤ」）２１０上に像を結び、フルカラー情報レッド（Ｒ），グリーン（Ｇ），ブルー（Ｇ）成分として信号処理部２１１に送られる。なお、ランプ２０５，ミラー２０６を固定しているキャリッジ２２７は速度ｖで、ミラー２０７，２０８は速度１／２ｖでラインセンサの電気的走査（主走査）方向に対して垂直方向に機械的に動くことによって、原稿全面を走査（副走査）する。
　【０００８】
　信号処理部２１１においては、読み取られた画像信号（ＲＧＢ信号）を電気的に処理し、外部に対して出力するほか、特定画像信号との比較を行う。
［イメージスキャナ部］
　図１は第１の実施例によるイメージスキャナ部２０１の回路構成を示すブロック図である。同図において、２１０−１，２１０−２，２１０−３はそれぞれ、レッド（Ｒ），グリーン（Ｇ），ブルー（Ｂ）の分光感度特性をもつＣＣＤ（個体撮像素子）ラインセンサであり、Ａ／Ｄ変換された後にそれぞれ８ビット出力０〜２５５の信号を出力する。４０１，４０２はディレイ素子である。
　【０００９】
　本実施例において用いられるＣＣＤラインセンサ２１０−１，２１０−２，２１０−３は、一定の距離を隔てて配置されているため、ディレイ素子４０１および４０２においてその空間的ずれが補正される。
　４０３，４０４，４０５はｌｏｇ変換器であり、ルックアップテーブルＲＯＭまたはＲＡＭにより構成され、輝度信号が濃度信号に変換される。
　【００１０】
　４０９は特定原稿の判定回路である。ここで、特定原稿の判定回路４０９は、原稿台上に置かれた原稿が複数の特定原稿のうち少なくともひとつである可能性の判定を行い、判定信号Ｈが多値２ビットで出力される。即ち、複数の特定原稿のうちすくなくともひとつを読み込み中である可能性が最も高い場合には、Ｈ＝“３”を出力し、その可能性が最も少ない場合には、Ｈ＝“０”を出力する。また判定信号Ｈは“０”から“３”に向って複数の特定原稿のうちすくなくともひとつを読み込み中である可能性が高くなることを示す。
　【００１１】
　４０８は出力制御部であり、判定回路４０９からの判定信号Ｈに従い、ＲＧＢ信号を外部に出力する。
　［判定回路］
　図３は第１の実施例による判定回路４０９の構成を示すブロック図である。同図において、３０１は後述の図４に示す様な間引き回路であり、判定回路４０９の処理回路の付加を軽減するために、データを間引く処理を実行する。３０２は、色味マッチング・ルックアップテーブルＲＯＭ（以下「ＬＵＴ」という）であり、読み込んだ原稿画像と予め用意された複数種類（有価証券、紙幣、機密書類等）の特定原稿との色味のマッチングを行う。ＬＵＴ３０２には、予め８種類の特定原稿について、その色味分布を調べ、当該画素の色味が、それら特定原稿の色味と一致するか否かの判定結果が保持されている。
　【００１２】
　即ち、ＬＵＴ３０２には、アドレスの下位１５ビットに間引かれたＲＧＢ各色の画像信号の上位５ビットずつがそれぞれ入力される。当該画素の色味が８種類の特定原稿における色味と一致するか否かを８ビットのデータに対応させて同時に出力し、１回の読み取り走査において合計８種類の判定が行われる。
　【００１３】
　３０３−１，３０３−２，…，３０３−８はそれぞれ同様のハードウェアで構成される色味判定回路であり、積分器３０６、レジスタ３０７−１，３０７−２，３０７−３、比較モジュール３０８より構成され、それぞれ特定原稿が原稿中に存在する可能性を判定し、その判定結果を２ビツトで出力する。３０９は最大値回路であり、色味判定回路３０３−１〜３０３−８の判定結果出力の内の最大値を出力する。即ち、８種類の特定原稿のうちで存在する可能性の最も高い特定原稿に対応した判定結果を出力する。
　【００１４】
　［タイミングチャート］
　図４は第１の実施例による間引き回路の構成を示す回路図であり、図５は第１の実施例による分周回路の構成を示す回路図である。そして、図７は第１の実施例における主走査方向のタイミングチャートである。
　図７において、ＶＳＹＮＣ信号は副走査区間信号であり、副走査の画像出力区間を示す信号である。ＨＳＹＮＣは、主走査同期信号であり、主走査開始の同期をとる信号である。ＣＬＫは、画像の転送クロックであり、本実施例における諸々の画像処理の基本クロックである。
　【００１５】
　一方、ＣＬＫ’は、ＣＬＫを１／４分周したものであり、判定回路４０９における基本クロックとなる。ＳＥＬ信号は、後述の間引き回路３０１で用いられるタイミング信号である。ＣＬＫ’とＳＥＬ信号はそれぞれ、図５に示される様な分周回路３１０で生成される。
　図５において、分周回路３１０はインバータ４５１、２ビットカウンタ４５２、インバータ４５３、ＡＮＤゲート４５４より構成される。２ビットカウンタ４５２は、主走査同期信号であるＨＳＹＮＣ信号により、クリア（初期化）された後、ＣＬＫをカウントし、２ビットでそのカウント値を出力する（Ｄ０，Ｄ１）。その上位ビットＤ１がＣＬＫ’として出力され、下位ビットＤ０の反転信号と上位ビットＤ１との論理積がＳＥＬ信号として出力される。
　【００１６】
　また図４において、間引き回路３０１は、ＣＬＫでデータを保持するフリップフロップ４５５，４５６，４５７，４６１，４６２，４６３、ＳＥＬ信号で切り替えを行うセレクタ４５８，４５９，４６０、ＣＬＫ’でデータを保持するフリップフロップ４６４，４６５，４６６より構成される。間引き回路３０１は、図７に示される様に、ＣＬＫで転送されるＲ（またはＧ，Ｂ）信号の中から、１／４の割合で間引かれ、ＣＬＫ’に同期をとられたＲ’（またはＧ’，Ｂ’）信号を得ることができる。
　【００１７】
　［積分器］
　図６は第１の実施例による積分器３０６の構成を示すブロック図であり、図８及び図９は第１の実施例による積分器３０６の入出力を示す図である。図６において、５０１および５０５はＣＬＫ’の立ち上がりタイミングでデータを保持するフリップフロップである。５０２は乗算器であり、８ビットの２入力信号（Ａ，Ｂ）を入力し、乗算結果として８ビットの信号（Ａ×Ｂ／２５５）を出力する。５０３は乗算器であり、１ビットの入力信号（Ａ）及び８ビットの入力信号（Ｂ）を入力し、乗算器として８ビットの出力信号（Ａ×Ｂ）を出力する。５０４は加算器であり、８ビットの２入力信号（Ａ，Ｂ）を入力し、加算結果として８ビットの信号（Ａ＋Ｂ）を出力する。
　【００１８】
　結果として、本積分器３０６においては、２値入力信号ｘｉに対し、８ビットの出力信号ｙｉは、次式（１）で表される。即ち、
　　ｙｉ＝（α／２５５）ｙｉ−１＋β・ｘｉ−１…（１）
　ここで、αおよびβは予め設定されている定数であり、これらの値の大きさによって積分器３０６の諸特性が決定される。
　【００１９】
　例えば、α＝２４７，β＝８の場合において、図８に示される様な入力ｘｉに対して、図９に示される様な出力ｙｉが出力される。
　ここで、７０１，７０２の点で示す様に、周囲が殆ど“０”であるにもかかわらず“１”である様な入力や、７０３の点で示す様に、周囲が殆ど“１”であるにもかかわらず“０”である様な入力は、ノイズ（雑音）であると考えられる。これを積分器３０６で処理し、図３のレジスタ３０７に３０７−１（Ｒ１），３０７−２（Ｒ２），３０７−３（Ｒ３）の様な適当なしきい値をセットし、これで積分器の出力ｙｉを２値化することによって、ノイズ（雑音）を除去することができる。
　【００２０】
　［比較器モジュール］
　図１０は第１の実施例による比較器モジュール３１０の構成を示すブロック図である。同図において、８０１，８０２，８０３は比較器であり、８０４はインバータ、８０５はＡＮＤゲート、８０６，８０７はＯＲゲートである。予め、レジスタ３０７−１にはＲ１、レジスタ３０７−２にはＲ２、レジスタ３０７−３にはＲ３なる閾値がセットされている。これら閾値にはＲ１＞Ｒ２＞Ｒ３なる関係がある。
　【００２１】
　この構成により、結果として、判定結果が２ビットに量子化されて出力される。すなわち、
　Ｒ１＜（入力）の場合、１１（２進）が出力され、
　Ｒ２＜（入力）≦Ｒ１の場合、１０（２進）が出力され、
　Ｒ３＜（入力）≦Ｒ２の場合、０１（２進）が出力され、
　　　　（入力）≦Ｒ３の場合、００（２進）が出力される。
　【００２２】
　［出力制御］
　図１１は第１の実施例による出力制御部４０８の構成を示すブロツク図である。同図において、１１０１−１〜１１０１−６はインバータ、１１０２−１〜１１０２−６はＡＮＤゲート、１１０３−１〜１１０３−３，１１０４はＯＲゲートをそれぞれ示している。
　【００２３】
　以上の構成によれば、出力制御部４０８は、ｌｏｇ変換器４０３〜４０５からの８ビットのＲＧＢ信号と判定回路４０９からの２ビットの判定信号Ｈとにより、出力するＲＧＢ信号を制御する。
　本実施例においては、判定信号が“０”ならばＲＧＢ信号をスルーで出力し、判定信号が“１”ならばＧ信号とＢ信号を反転し、判定信号が“２”ならばＲ信号とＢ信号とを反転し、判定信号が“３”ならばＲ信号とＧ信号とＢ信号をすべて反転して出力する。
　【００２４】
　以上説明した様に、第１の実施例によれば、１回の原稿走査でフルカラー画像信号を出力する画像処理装置において、原稿走査中に特定画像信号との比較を行い、その結果に応じて以降の処理を制御することで、特定原稿の複製などによる悪用を防ぐことを可能にする。
　（第２の実施例）
　さて、第１の実施例では、最初の判定（特定原稿の判定）が行われる前にすでにＲＧＢ信号（画像信号）を出力したが、以降説明する第２の実施例では判定に必要なＲＧＢ信号を記憶する機能を持つことで、最初の判定が行われてからＲＧＢ信号を出力することができる。
　【００２５】
　図１２は第２の実施例によるイメージスキャナ部の構成を示すブロック図である。尚、第１の実施例で説明した図１の各回路と同様の回路には、同様の番号を付し、説明を省略する。図１２において、１４０１は記憶部であり、ｌｏｇ変換器４０３〜４０５からの８ビットのＲＧＢ信号を記憶し、１４０８は図１１に示した出力制御部４０８と同様の構成（図１１）を具備した出力制御部であり、記憶部１４１０に記憶されたＲＧＢ信号と判定回路４０９からの２ビットの判定信号Ｈとにより、出力するＲＧＢ信号を制御する。
　ｌｏｇ変換されたＲＧＢ信号は順次記憶部１４１０のメモリにセットされる。ＣＰＵが判定信号を受けとると、メモリから出力制御部へのデータ転送を行う。記憶部１４１０はデュアルポートＲＡＭとして機能する。
　【００２６】
　本実施例においても、判定信号が“０”ならばＲＧＢ信号をスルーで出力し、判定信号が“１”ならばＧ信号とＢ信号を反転し、判定信号が“２”ならばＲ信号とＢ信号とを反転し、判定信号が“３”ならばＲ信号とＧ信号とＢ信号をすべて反転して出力する。
　（第３の実施例）
　さて、第１，第２の実施例では判定信号Ｈに応じて出力する画像信号を反転するよう出力を制御したが、以降説明する第３の実施例では出力するＲＧＢ信号を変更せずに、比較結果、即ち、判定結果を表す信号を制御信号として出力することができる。ここで判定信号Ｈは、原稿と特定画像との類似度を表す２ビットの信号で、図１０に示される比較器モジュールから出力される。
　【００２７】
　図１３は第３の実施例によるイメージスキャナ部の構成を示すブロック図である。尚、第１の実施例で説明した図１の各回路と同様の回路には、同様の番号を付し、説明を省略する。２４０８、２４０９はそれぞれ第３の実施例による出力制御部、判定回路を示している。
　【００２８】
　本実施例では、図１３に示される様に、判定回路２４０９から出力される判定信号Ｈをそのまま出力する構成であって、出力制御部４０８から出力されるＲＧＢ信号には、判定結果の影響なく、そのまま出力される。
　（第４の実施例）
　さて、前述の第１〜第３の実施例では画像を出力するごとに新たに判定を行ったが、以降説明する第４の実施例では、原稿の複数回の画像処理、原稿の変更が無い場合には一回目の判定結果に従ってＲＧＢ信号の出力を制御することができる。
　【００２９】
　図１４は第４の実施例によるイメージスキャナ部の構成を示すブロック図である。尚、第１の実施例で説明した図１の各回路と同様の回路には、同様の番号を付し、説明を省略する。３４０８は出力制御部、３４０９は判定回路、３４１０は記憶部、３４１１は原稿変更検知部をそれぞれ示している。
　以上の構成によれば、記憶部３４１０は判定回路３４０９から受け取った前回のスキャニングによる判定結果（判定信号Ｈ）を記憶し、原稿変更検知部３４１１は原稿の変更が行われたかを検知して、原稿の変更が無い場合には前回の判定結果に従って出力を制御することができる。
　【００３０】
　（第５の実施例）
　さて、第５の実施例では、前述の各実施例の様に、判定回路の判定結果に応じて画像信号を変更することは行わず、代わりに画像信号の転送に不可欠なクロックなどの制御信号を変更することにより、出力先がＲＧＢ信号（画像信号）を受け取ることを不可能にすることができる。本実施例では制御信号としてビデオイネーブル信号を変更する。
　【００３１】
　図１５は第５の実施例による制御信号作成回路の構成を示す回路図である。図１５において、１５０１はＡＮＤゲート、１５０２はＮＯＲゲートをそれぞれ示している。
　第５の実施例では、図１５に示される制御信号作成回路を、第３の実施例で説明した図１３の回路構成において、判定回路２４０９の後段に設けることによって、実現できる。
　【００３２】
　（第６の実施例）
　さて、第６の実施例では、出力されたＲＧＢ信号（画像信号）と特定画像信号との比較結果を表す判定信号Ｈの送受信を、画像信号を転送するプロトコルに取り入れることにより、出力済みの特定画像信号を無効にすることを可能にするものである。
　【００３３】
　図１６は第６の実施例による画像信号出力側の動作を説明するフローチヤートであり、図１７は第６の実施例による画像信号入力側の動作を説明するフローチヤートである。
　まず、画像信号出力側では、画像の読み取り、読み取られた画像信号（ＲＧＢ信号）の出力（送信）、出力された画像信号と特定画像信号との比較結果の出力（送信）が行われる（ステツプＳ１６０１〜Ｓ１６０３）。
　【００３４】
　一方、画像信号入力側では、画像信号を入力（受信）し（ステツプＳ１７０１）、比較結果を入力（受信）し（ステツプＳ１７０２）、特定画像信号の有無を判定して（ステツプＳ１７０３）、有りと判定された場合には、入力された特定画像信号を無効にして（ステツプＳ１７０４）、特定原稿の複製を未然に防止することができる。
　【００３５】
　（第７の実施例）
　さて、第７の実施例では、前述の第６の実施例において特定画像信号であるという比較結果が得られた場合に、転送プロトコルを停止させることにより、出力先との通信を不可能にするものである。
　図１８は第７の実施例による通信制御信号の処理手順を説明するフローチヤートである。
　【００３６】
　まず、ＲＥＱ信号がアクティブになると（ステツプＳ１８０１）、特定画像信号か否かの判定が行われ（ステツプＳ１８０２）、特定画像信号でない場合には、ＡＣＫ信号をアクティブに設定して処理を完了し（ステツプＳ１８０３）、特定画像信号である場合には、再びＳ１８０１に戻り、上記動作を繰り返す。
　尚、本発明は、複数の機器から構成されるシステムに適用しても、１つの機器から成る装置に適用しても良い。また、本発明はシステム或は装置にプログラムを供給することによって達成される場合にも適用できることは言うまでもない。
　【００３７】
　なお上述した各実施例では、画像処理装置の出力装置として、レーザービームプリンタが好適であるが、本発明はこれに限定されるものではなく、インクジェットプリンタ、熱転写プリンタにも適用可能である。特に、熱エネルギーによる膜沸騰を利用して液滴を吐出させるタイプのヘッドを用いるいわゆるバブルジェット方式のプリンタでもよい。
　【００３８】
　また、上述した各実施例では、イメージスキヤナ（リーダ）によって原稿画像を入力したが、本発明はこれに限定されるものではなく、スチルビデオカメラ、ビデオカメラで入力するもの、更にコンピュータグラフィックスによって作成されたものであってもよい。
　【００３９】
　【発明の効果】
　以上説明した様に、本発明によれば、画像信号出力側装置が特定画像との類似度の判定終了を待たずにカラー画像信号を出力する構成であっても、画像信号入力側装置はカラー画像信号の入力後の判定信号の入力を待って処理を続行するか否かを決定できるので、既に入力したカラー画像信号を無効化することにより、特定原稿の複製を未然に防止することができる。
【図面の簡単な説明】
　【図１】
　第１の実施例によるイメージスキャナ部２０１の回路構成を示すブロック図である。
　【図２】
　本発明の第１の実施例によるイメージスキヤナ本体の概略的な内部構成を示す側断面図である。
　【図３】
　第１の実施例による判定回路４０９の構成を示すブロック図である。
　【図４】
　第１の実施例による間引き回路の構成を示す回路図である。
　【図５】
　第１の実施例による分周回路の構成を示す回路図である。
　【図６】
　第１の実施例による積分器３０６の構成を示すブロック図である。
　【図７】
　第１の実施例における主走査方向のタイミングチャートである。
　【図８】
　第１の実施例による積分器３０６の入出力を示す図である。
　【図９】
　第１の実施例による積分器３０６の入出力を示す図である。
　【図１０】
　第１の実施例による比較器モジュール３１０の構成を示すブロック図である。
　【図１１】
　第１の実施例による出力制御部４０８の構成を示すブロツク図である。
　【図１２】
　第２の実施例によるイメージスキャナ部の構成を示すブロック図である。
　【図１３】
　第３の実施例によるイメージスキャナ部の構成を示すブロック図である。
　【図１４】
　第４の実施例によるイメージスキャナ部の構成を示すブロック図である。
　【図１５】
　第５の実施例による制御信号作成回路の構成を示す回路図である。
　【図１６】
　第６の実施例による画像信号出力側の動作を説明するフローチヤートである。
　【図１７】
　第６の実施例による画像信号入力側の動作を説明するフローチヤートである。
　【図１８】
　第７の実施例による通信制御信号の処理手順を説明するフローチヤートである。
　【符号の説明】
　２００　鏡面圧板
　２０１　イメージスキャナ部
　２０３　プラテン
　２０４　原稿
　２０５　ランプ
　２０６，２０７，２０８　ミラー
　２０９　レンズ
　２１０　ＣＣＤ
　２１０−１，２１０−２，２１０−３　ＣＣＤラインセンサ
　２１１　信号処理部
　２２７　キャリッジ
　３０１　間引き回路
　３０２　ＬＵＴ
　３０３−１，３０３−２，…，３０３−８　色味判定回路
　３０６　積分器
　３０７−１，３０７−２，３０７−３　レジスタ
　３０８　比較モジュール
　３０９　最大値回路
　４０１，４０２　ディレイ素子
　４０３〜４０５　ｌｏｇ変換器
　４０８　出力制御部
　４０９　判定回路
　４５５，４５６，４５７，４６１，４６２，４６３　フリップフロップ
　４５８，４５９，４６０　セレクタ
　４６４，４６５，４６６　フリップフロップ
　４５１，４５３　インバータ
　４５２　２ビットカウンタ
　４５４　ＡＮＤゲート
　５０１，５０５　フリップフロップ
　５０２，５０３　乗算器
　５０４　加算器